(57)【要約】【課題】特定エリアでの携帯電話の送受信を制限する際、携帯電話は禁止エリア基地局からの受信レベルを、常時所定レベルａ以上に維持する必要があった。受信レベルは常時変化するため適切な所定レベルａの設定が困難であった。そこで所定レベルを用いずに、送受信の制限をすることが望まれている。【解決手段】入出監視装置１２０は禁止エリア１００への入場を検知して、入退場情報を携帯電話機１１０に送信する。携帯電話機１１０は入退場情報に端末識別情報を付加してサーバ装置１４０に転送する。サーバ装置１４０は、受信した情報から携帯電話機１１０を特定し、その送受信を制限する規制情報を生成する。携帯電話機１１０はサーバ装置１４０から受信した規制情報に従い、送受信機能の制限実施または制限解除を行う。【選択図】      図１
2004186805.tif 000002
【特許請求の範囲】
【請求項１】
監視装置と通信端末とサーバとを有する通信端末監視システムにおいて、前記監視装置は、所定エリアへの前記通信端末の入退場を検出し検出した入退場情報を送信する手段を有し、前記サーバは、前記通信端末からの前記入退場情報を受信し前記通信端末に規制指示を送信する手段を有し、前記通信端末は、前記監視装置から前記入退場情報を受信して前記サーバに転送する転送手段と、前記サーバから送信される規制指示を受ける受信手段と、前記規制指示に従い送受信機能の動作を制御する制御手段とを有すること、を特徴とする通信端末監視システム。
【請求項２】
前記転送手段は、前記入退場情報に前記通信端末固有の識別情報を付加して送信することを特徴とする請求項１記載の通信端末監視システム。
【請求項３】
前記サーバは、転送された前記入退場情報から前記識別情報を抽出する抽出手段と、抽出された前記識別情報を記憶部に記録・削除する記録手段とを有し、前記記憶部上に前記識別情報を検出しない場合には、前記記憶部に前記識別情報を記録し前記通信端末へ送受信機能を停止させる前記規制指示を送出し、前記抽出された前記識別情報を前記記憶部で検出した場合には、前記識別情報を前記記憶部から削除し前記通信端末へ送受信機能を開始させる前記規制指示を送出することを特徴とする請求項１記載の通信端末監視システム。
【請求項４】
前記通信端末は、前記サーバからの規制指示の有無によらず、選択的に入退場情報と規制指示とを常時受信できる選択受信手段と、選択的に入退場情報と識別情報とを常時送信できる選択送信手段と、を有することを特徴とする請求項１記載の通信端末監視システム。
【請求項５】
所定エリアへの入退場を検出する監視装置から送出された入退場情報を受信する手段と、受信した前記入退場情報に識別情報を付加してサーバに転送する転送手段と、前記サーバから送信される送受信機能の停止・開始を制御する規制指示を受ける受信手段と、前記規制指示に従い送受信機能の動作を制御する制御手段と、を有する通信端末。
【発明の詳細な説明】
【０００１】
【発明の属する技術分野】
本発明は、通信端末監視システムにならびに通信端末に関する。
【０００２】
【従来の技術】
従来、病院、空港では精密機器の誤動作を防止するために、その一定領域を携帯電話機の電源を切断する領域として指定している。精密機器が誤動作する要因の一つとして携帯電話機からの発信電波があり、自動的かつ強制的に一定領域内に存在する携帯電話の発信機能を停止する方法が開示されている（例えば特許文献１参照。）。
【０００３】
図３は、特許文献１に開示された従来の携帯電話システムである。禁止エリア３００内には、発信規制を受ける携帯電話機３１０が存在する。携帯電話機３１０は、送信部３１１と受信部３１２とアンテナ３１３と送受信の制御を行う制御部３１４とからなる。制御部３１４には、ＲＯＭ３１５があり、各電気通信事業者によって決められた止まり木チャンネルのほかに、禁止エリア基地局３２０の止まり木チャンネルをも記憶している。携帯電話機３１０は、ＲＯＭ３１５内に記憶している全ての止まり木チャンネルを参照し、各止まり木チャンネルの受信レベルを常時監視している。さらに、ＲＯＭ３１５には受信レベルＬｘと比較される所定レベルａを記憶している。
【０００４】
禁止エリア基地局３２０は、禁止エリア３００の全域に電波を送信できるように配置されている。禁止エリア基地局３２０は、送信部３２１と受信部３２２と、アンテナ３２３と送受信の制御を行う制御部３２４とからなる。さらに禁止エリア３００の外部には通常の送受信を行う通常局が複数存在している。これら通常基地局３５０、３６０は、禁止エリア３００の少なくとも一部に電波を送信できるように配置されている。
【０００５】
携帯電話機３１０の移動に伴い、禁止エリア基地局３２０の受信レベルＬｘは変化する。携帯電話機３１０に設定された所定レベルａと受信レベルＬｘとを比較し、受信レベルＬｘ＞所定レベルａの受信状態になると携帯電話機３１０は禁止エリア基地局３２０に対して位置登録要求をして、禁止エリア局３２０に位置登録を行う。さらに、携帯電話機３１０は禁止エリア基地局３２０からの報知情報を受け取るが、この報知情報には規制情報としての発信規制が設定してあり、この発信規制に従い携帯電話機３１０の送信部３１１は停止状態になる。以上の動作で、携帯電話機の発信規制を行う携帯電話システムがあった。
【０００６】
【特許文献１】
特開平１０−２１５４８３号公報（第２−４頁、第１図）。
【０００７】
【発明が解決しようとする課題】
しかしながら、従来の携帯電話システムにおいては、固定された禁止エリア基地局から受ける携帯電話機の受信レベルＬｘが、常時、所定レベルａ以上である領域でしか発信規制を行うことが出来ない問題があった。
【０００８】
具体的には、携帯電話機の移動により、携帯電話機と禁止エリア基地局の距離が変化した場合や、周囲の電波障害物の配置が変化した場合には、受信レベルＬｘは著しく変化することになる。このような全ての電波状況に適応した所定レベルａを携帯電話機３１０のＲＯＭ３１５に予め設定することは非常に困難である。
【０００９】
本発明はかかる点に鑑みてなされたものであり、所定レベルａを設定することなく、特定のエリアでのみ携帯電話機の送受信規制をする通信端末監視システム及び通信端末を提供することを目的とする。特に、電車やバスなどのように入退出時に改札を有する特定エリアにおける携帯電話機の送受信規制をおこなう通信端末監視システム及び通信端末の提供を目的とする。
【００１０】
【課題を解決するための手段】
本発明の通信端末監視システムは、監視装置と通信端末とサーバとを有する通信端末監視システムにおいて、前記監視装置は、所定エリアへの前記通信端末の入退場を検出し検出した入退場情報を送信する手段を有し、前記サーバは、前記通信端末からの前記入退場情報を受信し前記通信端末に規制指示を送信する手段を有し、前記通信端末は、前記監視装置から前記入退場情報を受信して前記サーバに転送する転送手段と、前記サーバから送信される規制指示を受ける受信手段と、前記規制指示に従い送受信機能の動作を制御する制御手段とを具備する構成を採る。
【００１１】
この構成によれば、入退場の通路が特定されている禁止エリアでの通信端末の送受信規制をする場合に、送受信規制の判断は入退場の検知時に発生される入退場情報と端末識別情報とから行い、さらに送受信規制の管理は通信端末と無線回線で接続されたサーバ装置が行うため、禁止エリア局からの電波を、通信端末内部に設定してある所定レベルａ以上の強度で常時受信する必要がなく、また、通信端末内部に所定レベルａを設定する必要がなくなり、所望の発信禁止エリア内で、通信端末の送受信機能を停止することが出来る。
【００１２】
また、本発明の通信端末監視システムにおいては、前記転送手段は、前記入退場情報に前記通信端末固有の識別情報を付加して送信することを特徴とする請求項１記載の通信端末監視システムからなる構成をとる。
【００１３】
この構成によれば、送受信規制の管理をするサーバは通信端末の識別情報を受信するため、送受信規制を指示するべき通信端末を特定することができる。
【００１４】
また、本発明の通信端末監視システムにおいては、前記サーバは、転送された前記入退場情報から前記識別情報を抽出する抽出手段と、抽出された前記識別情報を記憶部に記録・削除する記録手段とを有し、前記記憶部上に前記識別情報を検出しない場合には、前記記憶部に前記識別情報を記録し前記通信端末へ送受信機能を停止させる前記規制指示を送出し、前記抽出された前記識別情報を前記記憶部で検出した場合には、前記識別情報を前記記憶部から削除し前記通信端末へ送受信機能を開始させる前記規制指示を送出することを特徴とした請求項１記載の通信端末監視システムからなる構成をとる。
【００１５】
この構成によれば、識別情報の記録の有無と、送受信規制の指示の有無とが各々対応するため、サーバでの識別情報を記録ないし消去することにより、送受信規制を規制有り、ないし規制なしのように変更をすることができる。
【００１６】
また、本発明の通信端末監視システムにおいて、前記通信端末は、前記サーバからの規制指示の有無によらず、選択的に入退場情報と規制指示とを常時受信できる選択受信手段と選択的に入退場情報と識別情報とを常時送信できる選択送信手段とを有することを特徴とする請求項１記載の通信端末監視システムからなる構成をとる。
【００１７】
この構成によれば、入退場情報と規制指示の受信、入退場情報と識別情報の送信が常時可能であるため、送受信規制中であっても、送受信規制の解除のための情報の授受をすることができる。
【００１８】
また、本発明の通信端末は、所定エリアへの入退場を検出する監視装置から送出された入退場情報を受信する手段と、受信した前記入退場情報に識別情報を付加してサーバに転送する転送手段と、前記サーバから送信される送受信機能の停止・開始を制御する規制指示を受ける受信手段と、前記規制指示に従い送受信機能の動作を制御する制御手段と具備する構成をとる。
【００１９】
この構成によれば、入退場の通路が特定されている禁止エリア内部における通信端末の送受信規制を行う場合に、送受信規制の判断は入退場を検知して得られる入退場情報と端末識別情報とから行い、さらに送受信規制の管理は通信端末と無線回線で接続されたサーバ装置が行うため、禁止エリア局からの電波を、通信端末内部に設定してある所定レベルａ以上の強度で常時受信する必要がなく、ひいては、通信端末内部に所定レベルａを設定する必要がなくなる。所望の発信禁止エリア内で、通信端末の送受信機能を停止することが出来る。
【００２０】
【発明の実施の形態】
本発明の要旨は、入退場の検知から得られる入退場情報と端末識別情報とにより、入退場の通路が特定されている禁止エリア内部における通信端末の送受信規制を行う点にある。
【００２１】
以下、本発明の実施の形態について、図面を参照して詳細に説明する。
【００２２】
（実施の形態）
図１は、本発明の実施の形態に係る通信端末監視システムの構成を示すブロック図である。禁止エリア１００の内部は、携帯電話機１１０の発信を制限している領域である。禁止エリア１００の入退場を行う通過部に設置してある入出監視装置１２０は、禁止エリア１００への人の入退場を監視し、検出している。
【００２３】
携帯電話機１１０は無線を介して基地局１３０と接続されており、また基地局１３０はサーバ装置１４０とも接続されている。すなわち携帯電話機１１０とサーバ装置１４０は、情報の授受と通話ができるように接続されていることになる。
【００２４】
携帯電話機１１０は、送受信を行う送信部１１１と受信部１１２とアンテナ１１３と、送受信の制御を行う制御部１１４とからなる。制御部１１４には、受信した情報を入退場情報と規制情報とに判別する判断部１１５と、個別の携帯電話機を識別するための識別情報を記憶するＩＤ記憶部１１６と、がある。ＩＤ記憶部１１６に記憶されているのは、電話番号でもよいし、その他の識別可能な情報であってもよい。制御部１１７は、送信部１１１の送信機能の制御と、受信部１１２の受信機能の制御をする。
【００２５】
なお、受信部１１２は、規制情報の有無によらず、選択的に入退場情報と規制情報とを常時受信できる選択受信手段を有しても良い。また、送信部１１１は、サーバ装置１４０からの規制指示の有無によらず選択的に入退場情報と識別情報とを常時送信できる選択送信手段とを有してもよい。
【００２６】
入出監視装置１２０には、人の入退場を検知する入退場検知部１２１と、入退場検知部１２１からの検知信号を受け取り、入退場情報を送信する送信部１２２とから構成されている。入退場検知部１２０による入退場の検知は、人が所持している入退場許可証の挿入または接触を検知することで行う。また、通過部に設置してある検出器により入退場の検出を非接触で行ってもよいし、前述した以外の方法でもよい。
【００２７】
基地局１３０は、送信部１３１と受信部１３２と送受信を制御する制御部１３４とからなる。サーバ装置１４０は、データの入出力と抽出と処理を行うデータ制御部１４１と、データ制御部１４１で抽出されたデータの記録、消去を行うデータ記録部１４２とからなる。
【００２８】
次いで、上記構成を有する通信端末監視システムの動作について、図２に示すフローチャートを用いて説明する。はじめに携帯電話機１１０が禁止エリア１００に侵入し、送受信の制限を受ける場合について説明をする。
【００２９】
図２に示すフローチャートは、大きく２種類の処理系列に分けられる。第１の処理系列は、携帯電話機１１０が入出監視装置１２０からの入退場情報を受信する時点から、携帯電話機１１０がサーバ装置１４０からの入退場情報に基づいた規制情報を受信する時点までの処理である。また、第２の処理系列は、サーバから規制情報を受信した携帯電話機が、通信端末の送受信機能の制御をするまでの処理である。
【００３０】
まず、第１の処理系列を説明する。ＳＴ２００おいて、入退場検知部１２１は、禁止エリア１００に入場する人を検知し、入退場情報を出力する。この入退場情報は、送信部１２２から入出監視装置１２０の外部に無線送信される。ＳＴ２０１おいて、携帯電話機１１０の受信部１１２は、入出監視装置１２０から送信された入退場情報を受信し、判断部１１５に出力する。
【００３１】
ＳＴ２０２において、判断部１１５は、受信部１１２が受信した情報を入退場情報と規制情報とに判別し、この受信した情報が入退場情報であればＩＤ記録部１１６に入退場情報を送出する。また、この受信した情報が規制情報であれば制御部１１７に規制情報を送出する。具体的にはＳＴ２０１において、判断部１１５は、入退場情報をすでに受信しているので、ＩＤ記録部１１６に入退場情報を送出することになる。
【００３２】
ＳＴ２０３おいて、ＩＤ記録部１１６は、受信した入退場情報にＩＤ記憶部１１６内部に記憶されている端末識別情報を付加し、送信部１１１に送出する。送信部１１１は、ＩＤ記録部１１６から受信した入退場情報と端末識別情報とを携帯電話機１１０の外部に無線送出する。これらの入退場情報と端末識別情報からなる情報は、携帯電話機１１０から無線送出された後、基地局１３０を経由してサーバ装置１４０に伝送される。なお、携帯電話機１１０から無線送出された情報は、基地局と専用データ送信機を介してサーバ装置１４０に伝送されてもよい。
【００３３】
携帯電話機１１０は、受信した入退場情報に端末識別情報を付加し、転送することで、サーバ装置に発信規制の状態を通知することが出来る。このため、禁止エリア基地局からの受信強度は所定の受信レベルａ以上に常時維持する必要はない。
【００３４】
ＳＴ２１０おいて、サーバ装置１４０のデータ制御部１４１は、基地局１３０からの情報を受信し、端末識別情報のみを抽出する処理をする。
【００３５】
ＳＴ２１１おいて、データ制御部１４１は、受信した端末識別情報がデータ記録部１４２内に記録されているかを判別する。すなわち、端末識別情報がデータ記録部１４２に記録されていると判別された場合は、携帯電話機１１０は送受信機能の制限を受けている場合である。また端末識別情報がデータ記録部１４２に記録されていないと判別された場合は、携帯電話機１１０は送受信機能の制限を受けていない場合に相当する。
【００３６】
送受信機能を制限されている携帯電話機１１０の端末識別情報は、全てサーバ装置１４０のデータ記録部１４２に記録されていることになる。よって、携帯電話機１１０の発信規制の管理をサーバ装置１４０で一元的な管理できる。
【００３７】
ＳＴ２１２おいて、データ制御部１４１は、データ記録部１４２上にある記録データの更新を行う。前ステップのＳＴ２１１において端末識別情報がデータ記録部１４２に記録されていないと判別されているので、携帯電話機１１０は禁止エリア１００の外部にいると判別される。ＳＴ２００において携帯電話機１１０は禁止エリア１００内へ侵入しているので、データ制御部１４１は、ＳＴ２１０で抽出された端末識別情報をデータ記録部１４２に記録する。この結果、記録データ上で携帯電話機１１０は、送受信制限なしの状態から送受信制限ありの状態に変更する。
【００３８】
ＳＴ２１３おいて、データ制御部１４１は、端末識別情報と送受信停止指令とからなる規制情報を生成する。この規制情報は携帯電話機１１０の送受信機能の制限を指示する信号である。ＳＴ２１４おいて、データ制御部１４１は、ＳＴ２１３で生成された規制情報をサーバ装置１４０から送出し、基地局１３０経由で携帯電話機１１０に伝達させる。
【００３９】
次にサーバから規制情報を受信した携帯電話機が、通信端末の送受信機能の制御をするまで第２の処理系列について説明をする。
【００４０】
ＳＴ２０１おいて、携帯電話機１１０の受信部１１２は、ＳＴ２１４で送出された規制情報を受信し、判断部１１５に出力する。
【００４１】
ＳＴ２０２において、判断部１１５は、受信部１１２が受信した情報を入退場情報と規制情報とに判別し、この受信した情報が規制情報であれば制御部１１７に規制情報を送出する。また、この受信した情報が入退場情報でればＩＤ記録部１１６に入退場情報を送出する。ＳＴ２０１において判断部１１５は、規制情報を受信したので、判断部１１５は受信した情報が規制情報であることを判断し、この規制情報を制御部１１７に送出する。
【００４２】
ＳＴ２２０おいて、制御部１１７は、受信した規制情報の解析を行う。規制情報は、送受信機能の停止指示と識別情報から構成される場合と、送受信機能の許可指示と識別情報とから構成される場合のいずれかである。具体的に本ステップＳＴ２２０における解析とは、制御部１１７が受信した規制情報に停止指示を含むか、または許可指示を含むかのいずれかを判別することである。判別された指示情報は、判断部１１５から制御部１１７に送信される。
【００４３】
ＳＴ２２１おいて、判断部１１５は、受信した規制情報に停止指示を含むと判別した場合であり、受信した停止指示を記憶部１１８に記録する。換言すれば、サーバ装置１４０のデータ制御部１４１が、携帯電話機１１０の送信機能と受信機能の制御したことに相当する。
【００４４】
ＳＴ２２２おいて、制御部１１７は、受信した停止指示をもとに送信部１１１と受信部１１２の機能の停止または制限を行う。
【００４５】
このように、本実施の形態の通信端末監視システムによれば、携帯電話機１１０が禁止エリア１００に侵入した場合に、携帯電話機１１０の送受信機能を制限または停止することができる。
【００４６】
次に携帯電話機１１０が禁止エリア１００の外部に出て、送受信規制を解除される場合を、図２に示すフローチャートをもとに説明する。
【００４７】
図２に示すフローチャートは、携帯電話機１１０が禁止エリア１００に侵入し、送受信の制限を受ける場合と同じく、大きく２種類の処理系列に分けられる。第３の処理系列は、携帯電話機１１０が入出監視装置１２０からの入退場情報を受信する時点から、携帯電話機１１０がサーバ装置１４０から規制解除情報を受信する時点までの処理である。また、第４の処理系列は、サーバ装置１４０から規制解除情報を受信した携帯電話機１１０が携帯電話機１１０の送受信機能の規制解除をするまでの処理である。
【００４８】
まず、第３の処理系列を説明するが、上記発信規制を受ける場合の第１の処理系列と同一である部分の説明は省略し、サーバ装置１４０が、受信した入退場情報と端末識別情報とから、端末識別情報のみを抽出する処理以降を説明する。
【００４９】
ＳＴ２１１おいて、データ制御部１４１は、受信した端末識別情報がデータ記録部１４２内に記録されているかを判別する。すなわち、端末識別情報がデータ記録部１４２に記録されていると判別された場合は、携帯電話機１１０は、送受信機能の制限を受ける場合であり、また端末識別情報がデータ記録部１４２に記録されていないと判別された場合は、携帯電話機１１０は送受信機能の制限を受けていない場合に相当する。
【００５０】
ＳＴ２３０おいて、サーバ装置１４０は、携帯電話機１１０の送受信機能の制限を直接的に行うのではなく、データ記録部１４２上にある記録データの更新だけを行う。前ステップのＳＴ２１１において端末識別情報がデータ記録部１４２に記録されていると判定されているので、サーバ装置１４０は、携帯電話機１１０が禁止エリア１００の内部にいると判定する。ＳＴ２００において携帯電話機１１０は禁止エリア１００から退出しているので、データ制御部１４１は、ＳＴ２１０で抽出された端末規制情報をデータ記録部１４２から削除し、記録データ上で携帯電話機１１０は、送受信制限ありの状態から送受信制限なしの状態に変更させる。
【００５１】
ＳＴ２３１おいて、データ制御部１４１は、端末識別情報と送受信許可指令とからなる規制情報を生成する。この規制情報は携帯電話機１１０の送受信機能の制限を解除する指示信号である。ＳＴ２１４おいて、データ制御部１４１は、ＳＴ２３１で生成された規制情報をサーバ装置１４０から送出し、基地局１３０経由で携帯電話機１１０に伝達させる。
【００５２】
次にサーバから規制解除情報を受信した携帯電話機が、通信端末の送受信機能の規制解除をするまで第４の処理系列について説明をする。
【００５３】
ＳＴ２０１おいて、携帯電話機１１０の受信部１１２は、ＳＴ２１４で送出された規制情報を受信し、判断部１１５に出力する。
【００５４】
ＳＴ２０２において、判断部１１５は、受信部１１２が受信した情報を入退場情報と規制情報とに判別し、この受信した情報が規制情報であれば制御部１１７に規制情報を送出する。また、この受信した情報が入退場情報であればＩＤ記録部１１６に入退場情報を送出する。ＳＴ２０１において判断部１１５は、規制情報をすでに受信しているので、判断部１１５は受信した情報が規制情報であることを判断し、この規制情報を制御部１１７に送出する。
【００５５】
ＳＴ２２０おいて、制御部１１７は、受信した規制情報の解析を行う。規制情報は、送受信機能の停止指示と識別情報から構成される場合と、送受信機能の許可指示と識別情報とから構成される場合のいずれかである。具体的に本ステップＳＴ２２０における解析とは、制御部１１７が受信した規制情報に停止指示を含むか、または許可指示を含むかのいずれかを判別することである。判別された指示情報は、判断部１１５から制御部１１７に送信される。
【００５６】
ＳＴ２４０おいて、判断部１１５は、受信した規制情報に許可指示を含むと判別した場合であり、受信した許可指示を記憶部１１８に記録する。換言すれば、サーバ装置１４０のデータ制御部１４１が、携帯電話機１１０の送信機能と受信機能を制御したことに相当する。ＳＴ２４１おいて、制御部１１７は、受信した許可指示をもとに送信部１１１と受信部１１２の機能の動作許可を行う。
【００５７】
このように、本実施の形態の通信端末監視システムによれば、携帯電話機１１０が禁止エリア１００から退出した場合に、携帯電話機１１０の送受信機能の制限を解除することができる。
【００５８】
【発明の効果】
以上説明したように、本発明によれば、入退場の検知から得られる入退場情報と端末識別情報とにより、入退場の通路が特定されている禁止エリア内部における通信端末の送受信規制をする構成をとるので、所定レベルａを設定することなく、特定のエリアでのみ携帯電話機の送受信規制をする通信端末監視システム及び通信端末を提供することができる。
【図面の簡単な説明】
【図１】本発明の実施の形態に示す、通信端末監視システムのブロック図
【図２】本発明の実施の形態に示す、通信端末監視システムの動作のフロー図
【図３】従来の通信端末監視システムのブロック図
【符号の説明】
１００  禁止エリア
１１０  携帯電話機
１１１、１２２、１３１  送信部
１１２、１３２  受信部
１１３、１２３、１３３  アンテナ
１１４、１１７、１３４  制御部
１１５  判断部
１１６  ＩＤ記憶部
１１８  記憶部
１２０  入出監視装置
１２１  入退場検知部
１３０  基地局
１４０  サーバ装置
１４１  データ制御部
１４２  データ記録部
【図１】
2004186805.tif 000003
【図２】
2004186805.tif 000004
【図３】
2004186805.tif 000005